(57)【要約】【課題】臥床している患者を強制的に寝返らすことにより、介護労力の軽減と床ずれ予防に効果のある医療用ベッドを提供する。【解決手段】昇降装置１１を持つベットベース２０の上に置かれたベッド本体１の床を横手方向に３分割する、この分割された各床の下面を枢支軸５により枢結し、枢結された中央部床３を横手方向に大小７分割する、該分割された各床の上面を枢支軸６により枢結することにより、該ベッド本体１は山折りと緩やかな谷折りの形態が得られる。上記の形態と傾斜装置５０の併用により中央部床３は緩やかな傾斜が得られ患者の背中や上位側弯部への体圧は減圧され床ずれの予防効果がみられる。前記の傾斜装置５０と昇降装置１１を併用することにより介護者は楽な姿勢で患者に接することが出来、介護の負担軽減につなげることができる。【選択図】図１１
2014110870.tif 000002
【特許請求の範囲】
【請求項１】
ベッド本体１は、ベッド本体１を昇降させる昇降機構を有する４本の昇降用支柱１７とベットベース２０をリンク１８により結合させた昇降装置１１の上に設置されている。前記のベッド本体１は横手方向に大小３分割し、分割された各分割床の隣接端縁を枢支軸５にて枢結し、山折りの形態を形成する機構と、該枢結された３分割床の中央部床（３分割された中央の床）３を更に横手方向に大小複数分割（本ベッド７分割）し、該大小複数分割された各分割床の各隣接端縁を枢支軸６により枢結し緩やかな谷折り形態を形成する機構を有する、上記の中央部床３を傾斜装置５０により傾斜させたときの傾斜角を制限する制限機構と、前記の各機構を備えていることを特徴とする医療用ベッド。
【請求項２】
ベッド本体を３分割した分割床にあって、両側分割床２の外側端は上方に傾斜（本ベッドの傾斜角は約１０°）させた形態を得るため、傾斜支持部材１９をベットベース２０上部の両側端左右に備え、中央部床３が傾斜していないときベッド本体の臥床面が底の平らな舟底形を形成していることを特徴とする請求項１の医療用ベッド。
【発明の詳細な説明】
【技術分野】
【０００１】  本発明はベット本体１の臥床部を横手方向に大小３分割し、分割された中央部床３（分割された中央の床）に臥床している患者を左右強制的に寝返りさせることにより患者の床ずれ予防や介護労力の負担軽減につなげる医療用ベットに関する。
【背景技術】
【０００２】  従来の傾斜型の医療用ベットには、臥床を長手方向に２分割し、さらに、この分割された床を横手方向にも２分割し、ベット全体を４分割状態とし、頭部と足部を強制的に個別に傾斜させ寝返りを提供するものがある。（特許文献１参照）【００３】  以下図（１３）により従来の医療用ベットについて説明する。図において長手方向に２分割されたマット１を横手方向に２分割し、頭側左部分１ＨＬ，頭側右部分１ＨＲ，足側左部分１ＦＬ，足側右部分１ＦＲの４部分に分割し、これらの部分を上面ご連続するように連結し、それぞれ駆動手段５で個別的に起伏させることが出来るようにしている。横手方向の片側の部分、例えば、頭側左部分１ＨＬと足側左部分１ＦＬとを駆動手段５で起立させることにより患者の左側の体側を持ち上げて強制的に右に寝返りさせる。このように強制的に寝返りを促すことにより介護者の苦労が軽減されると共に患者の床ずれ予防にも期待できる。
【先行技術文献】
【特許文献】
【０００４】
【特許文献１】  特開２０００−２８８０３４号公報
【発明の概要】
【発明が解決しようとする課題】
【０００５】  自力で動くことの出来ない患者を動かす際には、手を患者の身体の下に挿入しなければならない。しかし、従来の医療用ベベットには、前後、左右に傾斜するもの、上下に昇降するもの、背上げ機構を有するものなど、多種多様の物があるが、従来いずれのベットであっても患者自身で身体を動かすことができない場合、ベットの床面上に臥床している患者の身体は床板またはマットレスなどに密着しており、床ずれの予防や介護労力の軽減などに関し、問題点が存在した。【０００６】  そこで、本発明はベットの床面上に臥床している患者Ｍを左右強制的に深く傾斜させることにより患者Ｍの身体と床板またはマットレス等とのあいだの体圧も分散され床ずれの予防効果がみられる。また、介護者は楽な姿勢で患者の身体と床板またはマットレスとの間に簡単に手を差し伸べることが可能となり、衣服やリネンの交換も容易に出来、介護労力の負担軽減にもつなげることのできる医療用ベットを提供目的とする。
【課題を解決するための手段】
【０００７】  上記の目的を達成するために、本発明は、次の技術的手段を講じた。すなわち、案内筒１４の底部に移動用キャスタを備え、同案内筒１４の中に駆動モータ１２と同モータの回転軸に直結された長尺ボルト１６及び、この回転を直線移動に変えるボールナット１３を持ち、該ボールナット１３には上下に動く昇降用支柱１７が取り付けられている。該昇降用支柱１７の振れをなくし安定した上下の移動を得るため昇降用支柱１７と案内筒１４との間にブッシング１５を施こした、昇降装置１１を有する。【０００８】  該昇降装置１１を四隅に配し、各昇降装置１１をリンク１８により長四角形に結合する、この結合にあっては、ベットの長手方向に接続する左右下部のリンク１８は中央寄りに配置結合する。【０００９】  上記リンク１８により結合された昇降装置１１の昇降用支柱１７は上部に患者Ｍが臥床するベット本体１を配するためのベットベース２０を固定する。【００１０】  ベットベース２０上に設置されたベット本体１の床は横手方向に大小３分割し、該３分割された各分割床は各隣接端縁は長手方向下面に配置した複数個の枢支軸５により枢結されており左右各々山折りを可能とした。【００１１】  上記の枢結された中央部床（３分割された中央の床）３は、さらに大小複数分割（本ベットは７分割）し、分割した各分割床の隣接端縁は長手方向上面に配置した複数個の枢支軸６により枢結し緩やかな谷折り可能な形態を有し、患者Ｍが臥床するための床面が構成されている。（図３）【００１２】  前記の７分割され枢支軸により枢結された中央部床３は点対象位置に置配した２組の傾斜装置５０により、中央部床３を左右随時に傾斜させることのできる医療用ベットである。【００１３】  該傾斜装置５０は、ベットベース２０下面に取り付けた取付枠５１に低速駆動モータ（数ｒｐｍ）５２を固定し、同モータの回転軸にアーム５３を支持する、同支持されたアーム５３の先端に回動自由とする支持点５４を介し先端を丸く加工したリンク４５を支持したもの及び引きバネ４８により構成されている。（図９）【００１４】  前記において、３分割された中央部床３が左右に傾斜する時の支点にあっては、大小複数分割された両外側床の長手方向両側端部を支点とする、随時支点方式を採用する。【００１５】  該傾斜装置５０により要所の支持点を上に起立させ患者Ｍの臥している中央部床３を左右とも緩やかに傾斜することが出来る、また、臥床面の傾斜を解除するときは駆動モータ５２の逆転と引きバネ４８の力により臥床面の傾斜は解除され水平な床面となる。［図１０］【００１６】  本医療用ベットは傾斜させたい傾斜角度を検出し自動で停止する機能や手動で停止できるスイッチ機能を備えている。（図１２）
【発明の効果】
【００１７】  該ベットベース２０の下部に備えた４本の昇降装置１１はベットの長手方向に接続する下部のリンク１９を中央寄りに設置結合することにより足元が解放され、ベットの高さ調整装置１１と併用することにより、楽な姿勢で、より近くで患者Ｍに接することができる特徴を備えている。【００１８】  ベット本体１を横手方向に複数分割した分割床にあって患者Ｍの臥している中央部床３を傾斜装置５０を用いて左右強制的に傾斜さすことで患者Ｍの床ずれの予防効果を提供できる。【００１９】  ベット本体１の横手方向に大小３分割された両側分割床２の外側端を少し持ち上げるために傾斜用支持部材１９を採用することで傾斜していないときベット本体１は舟底形（図４）を呈し、患者Ｍは自然体で中央部床３に臥床することが出来、安定したベット環境を患者Ｍに提供できる。【００２０】  中央部床３を傾斜さす傾斜装置５０には傾斜位置や傾斜速度の調整と、タイマーや傾斜位置検出用のリッミトスイッチ６２及びリモコンスイッチが接続されていることを特徴とする。
【産業上の利用可能性】
【００２１】  昇降装置１１や傾斜装置５０は自動化に頼らず人を介して操作を行うことも出来る、前述の場合は構造も簡素化され、経費の節減にもつながる。しかも、床ずれ予防や癒し効果も十分な結果が同様に得られる。
【図面の簡単な説明】
【００２２】
【図１】  昇降装置の断面図及び介護用ベットの側面図
【図２】  ベットフレームの平面図
【図３】  ベット本体の平面図および枢支軸の枢結位置
【図４】  舟底形ベット本体の正面図
【図５】  ベット本体の支点部材及び傾斜用補助部材の取付け図
【図６】  ベット本体の支点となる凸部及び凹部の形態図
【図７】  ベット本体の傾斜時の正面図
【図８】  台座への鎖の取付け図
【図９】  傾斜装置の断面図
【図１０】  ベット本体の舟底形臥せ床時の正面図
【図１１】  ベット本体の傾斜時の正面図
【図１２】  傾斜装置のリミットスイッチの取り付け位置図
【図１３】  従来の医療用ベットを示す正面図である
【発明を実施するための形態】
【実施例】
【００２３】  以下本発明の実施の形態を図に基づいて説明する。【００２４】  図１において昇降装置１１の昇降用支柱１７は駆動モータ１２の回転軸に直結された長尺のボルト軸１６と回転を直線移動に変えるボールナット１３を介し接合されている。また、昇降用支柱１７は振れを少なくするため案内筒１４と昇降用支柱１７との間にブッシング１５が施され滑らかで安定した上下の昇降形態を構築している。【００２５】  上記昇降装置１１を四隅に配置し、長手方向とする外側のリンク１８は中心方向に移動配置し支持したことにより足元が解放された形態が得られる。【００２６】  ベットベース２０は昇降装置１１の昇降用支柱１７上部に結合され滑らかで安定した上下移動形態が確保できる。【００２７】  請求項１の発明にあって、患者Ｍの臥床するベット本体１の臥床は横手方向に中央部床３を含めた大小３分割に分割されている。（図３）【００２８】  上記の３分割された分割床は各隣接端縁下面の長手方向に附設する複数個の枢支軸５により枢結され山折り形態を左右に形成可能としている。【００２９】  上記のベット本体１の３分割された中央部床３の横手方向への幅長は邦人男性の平均的肩幅を参考にしたものである。【００３０】  該ベット本体の中央部床３を横手方向に大小複数分割（本実施例では７分割）し、各分割床の隣接縁端上面の長手方向に敷設した複数個の枢支軸６により枢結し緩やかな谷折りの形態を左右に形成可能としている。【００３１】  請求項２の発明は、ベット本体１の中央部床３が傾斜していないとき、ベット本体１の臥床面は平らな舟底形を形成する。上記の舟底形を形成するために、３分割された両側分割床の両内端面部を上方に向け必要とする角（当該ベットはおよそ１０度角）で斜めに切削されている。（図４）【００３２】  該ベット本体の臥床面が平らな舟底形を保持するため、ベットベースの四隅に敷設した傾斜用補助部材１９を必要とする。（図２）【００３３】  該傾斜用補助部材１９はＬ字形アングル状に加工し、片端が昇降用支柱に支持部材により可動的に支持されている。（図５）【００３４】  請求項１の発明にあって、ベット本体を３分割した中央部床３は傾斜装置５０を介して左右に傾斜することができる。（図７）【００３５】  該傾斜装置５０はギヤー比の大きい超低速のＤＣモータ５２（数ｒｐｍ）をベットベース２０床下面の中央に附設した取り付け枠５１に固定せれている。（図１２）【００３６】  図９の傾斜装置５０は該モータの回転軸にセットされたアーム５３に回動自在とする上部が半球状になった傾斜用リンク４５を支持し、前記、中央部床３の作用点に突出部材７１を固定し、回動自在な受球部４６を支持し、該傾斜用リンク４５と回動自在な受球部４６を接触させ、モータの回転力により傾斜を促すための機構を備えている。【００３７】  上記の傾斜を促すための作用点は中床４（中央部床を七分割した中央の床）の側面の長手方向にあって中心よりの下面に位置する。【００３８】  前記の傾斜用リンク４５の先端が、ぶれなく安定して受球部に作用するよう案内筒４９を装着している。【００３９】  患者Ｍの臥床する中央部床３は中床４下に支持した作用点に傾斜用リンク４５を介して傾斜を促すことにより、��やかな谷折り形態を形成すると同時に同方外側分割床２と中央部床３は枢支軸６により枢結されており山折りの形態が自然に形成される。（図７）【００４０】  上記の傾斜装置５０による緩やかな傾斜を実現するために、鎖形部材４２を一鐶置きに台座４１に固定したものを該中央部床３にあって複数分割された左右の分割床下面の複数個所に設置固定する。【００４１】  傾斜した状態にある中央部床３を水平位置に復帰さすには低速駆動モータ５２を逆転させることによりアーム５３と傾斜用リン４５は回帰するが、中央部床３は患者Ｍの体重やベットの自重などによる自然回帰に頼らずアーム５３の先端の突出部５５に設けた小孔４７と中央部床３の長手方向の中間点にバネ取り付けた台座７２を支持し、この台座７２とアーム先端の小孔４７の間を引きバネ４８で連結し強制的に中央部床３は引き下げる、この時、山折りの形態は板バネの力により上方に傾斜した傾斜用支持部材１９による誘導とベット本体１の側端に附設したローラ７０によりスムーズに水平位置に帰床することが出来る。【００４２】  当該傾斜装置５０はベットの中心点１００を点対称とする位置に対で設置されており左右同じ動作が実施されるようになっている。【００４３】  山折りと緩やかな谷折りの形態を実現するために左右の傾斜装置５０をスムーズにしかも、的確に作動させるために各動作時の原点となる支点を設けるに当たり、次の問題点を解決しなければならない。前述した、中央部床３が水平時や左傾斜時および右傾斜時などの各形態変化時に安定した支点の形態変化を確保しなければならない。このために、以下の処置を講ずる。【００４４】  前記の処置は、前述の３分割された中央部床３の複数分割された両外側の分割床を長手方向にあって両端より中心方向に向け、本分割床の横手方向幅で半円柱形３１に加工したものを支点凸部材３１として用意する。（図４、図６）【００４５】  上記にて、半円柱形の支点凸部材３１を受納する凹部材３２は前記凸部の長手方向幅で半円形をした形状に加工されている。（図６）【００４６】  上記の凹部材３２は中央部床３の横手方向を幅長とするＬ字形アングル３３の両端に接合されている。（図５）【００４７】  上記のＬ字形アングル３３は中央部床３の長手方向への移動をなくすために設置するものであり、このＬ字形アングル３３はベットベース２０の長手方向両端の位置にあって横手方向中央位置に固定されている。（図５）【００４８】  位置検出用リミットスイッチ取り付けプレート６０は駆動モータ取付枠５１に固定され、中央部床３の水平位置検出用６１と傾斜位置検出用６２の各リミットスイッチ及び左右の優先順位を決めるリミットスイッチを備えている。この回路は２系統用意されている。【００４９】  各リミットスイッチの検出にはアームに取り付けたチップ５４との接触により回路は接続される。【００５０】  傾斜位置検出用リミットスイッチの取付け位置の調整は取り付けプレート６０のスリット６３を利用しビス半固定とする。
【符号の説明】
【００５１】  １    ベット本体
２    ３分割された両側床
３    ３分割された中央部床
４    中床
５    枢支軸（下面）
６    枢支軸（上面）
１１    昇降装置
１２    駆動モータ
１３    ボールナット
１４    案内筒
１５    ブッシング
１６    長尺ボルト
１７    昇降用支柱
１９    傾斜用支持部材
２０    ベットベース
３１    支点用凸部
３２    支点用凹部
３３    Ｌ字形アングル
４０    傾斜制限機構
４１    台座
４２    鎖
４５    傾斜用リンク
４７    バネ用小孔
４８    引きバネ
５０    傾斜装置
５１    取付枠
５２    低速駆動モータ
６１    位置検出用リミットスイッチ（上）
６２    位置検出用リミットスイッチ（下）
７０    傾斜復帰用ローラ
１００  ベットフレームの中心点
Ｍ      患者
【図１】
2014110870.tif 000003
【図２】
2014110870.tif 000004
【図３】
2014110870.tif 000005
【図４】
2014110870.tif 000006
【図５】
2014110870.tif 000007
【図６】
2014110870.tif 000008
【図７】
2014110870.tif 000009
【図８】
2014110870.tif 000010
【図９】
2014110870.tif 000011
【図１０】
2014110870.tif 000012
【図１１】
2014110870.tif 000013
【図１２】
2014110870.tif 000014
【図１３】
2014110870.tif 000015